(57)【要約】【課題】指紋照合の際、識別番号を入力する形式のものでは、識別番号を第三者に盗み見られる虞れがある。【解決手段】利用者がキー３を操作すると、これをグループ番号として読み取り、このグループ番号に属する複数の指紋データを抽出する。次に、指紋読取り部２で指紋データを読み取り、抽出された複数の指紋データの中に所定条件下で合格する指紋データがあるかを判定する。合格する指紋データがない場合、所定条件を緩和して再度判定し、合格する候補指紋データがあるかを判定する。その結果、合格する候補指紋データが複数ある場合、利用者はキー３を操作して、識別番号を上のけた（又は下のけた）から１けたずつ入力する。この識別番号が候補指紋データに対応する識別番号の中にあれば合格と判定する。【選択図】        図１
2004280247.tif 000002
【特許請求の範囲】
【請求項１】
番号入力用のキーと指紋読取り部とを有し、上記キーが操作されると、これをグループ番号として読み取り、このグループ番号に属する複数の指紋データを抽出し、これらの指紋データの中に上記指紋読取り部で読み取られた指紋データがあるかを判定するグループ照合手段と、上記グループ照合により候補指紋データが複数あると判定された場合、上記キーが操作されると、これを識別番号として読み取り、上記候補指紋データに対応する識別番号の中に上記キーの操作により入力された識別番号と一致する識別番号があるかを判定する識別番号判定手段とを備えてなる指紋照合装置。
【請求項２】
番号入力用のキーと指紋読取り部とを有し、上記キーが操作されると、これをグループ番号として読み取り、このグループ番号に属する複数の指紋データを読み出す指紋データ読出し手段と、上記複数の指紋データと上記指紋読取り部で読み取られた入力指紋データとを比較し、上記複数の指紋データ中に所定条件下で合格する候補指紋データがあるかを判定するグループ照合判定手段と、上記グループ判定合格の候補指紋データがない場合、上記所定条件を緩和して再度判定し、上記緩和条件下で合格する候補指紋データがあるかを判定する再判定手段と、上記再判定合格の候補指紋データが複数ある場合、上記キーが操作されると、これを識別番号として読み取り、上記再判定合格の候補指紋データに対応する識別番号の中に、上記キーの操作により入力された識別番号と一致する識別番号があるかを判定する識別番号判定手段とを備えてなる指紋照合装置。
【請求項３】
識別番号判定手段を、再判定合格の候補指紋データが複数ある場合、キーが操作されると、これを識別番号として読み取り、上記再判定合格の候補指紋データに対応する識別番号と、上記キーの操作により１けたずつ入力される識別番号とを照合し、一致する識別番号が生じた時点で合格と判定するものとしたことを特徴とする請求項２記載の指紋照合装置。
【請求項４】
番号入力用のキーが操作されると、これをグループ番号として読み取り、このグループ番号に属する複数の指紋データを抽出し、これらの指紋データの中に指紋読取り部で読み取られた指紋データがあるかを判定するステップと、上記ステップにより候補指紋データが複数あると判定された場合、上記キーが操作されると、これを識別番号として読み取り、上記候補指紋データに対応する識別番号の中に上記キーの操作により入力された識別番号と一致する識別番号があるかを判定するステップとを備えてなる指紋照合方法。
【発明の詳細な説明】
【０００１】
【発明の属する技術分野】
この発明は、番号入力用のキーと指紋読取り部とを有する指紋照合装置に関するものである。
【０００２】
【従来の技術】
従来の指紋照合装置においては、テンキー操作によりＩＤ入力を行い、次に指紋押捺を行い、この押捺指紋を撮像した撮像指紋と、登録ファイルに登録した入力ＩＤ番号対応の登録指紋との照合ＯＫかＮＧかにより、本人確認ＯＫかＮＧかを判定するように構成されている（例えば、特許文献１参照）。
【０００３】
【特許文献１】
特開平１１―８５９９５号公報（段落１７、図１）
【０００４】
【発明が解決しようとする課題】
上記のような従来の指紋照合装置では、テンキー操作によるＩＤ入力を行ってから指紋押捺するようにしているため、第三者に操作している様子を見られた場合、ＩＤ番号を盗み見られてしまう虞れがあるという問題点がある。
【０００５】
この発明は上記問題点を解消するためになされたもので、簡単な操作で指紋状態の悪い人でも指紋照合ができ、かつＩＤ（識別）番号を盗み見られないようにした指紋照合装置を提供することを目的とする。
【０００６】
【課題を解決するための手段】
この発明に係る指紋照合装置は、番号入力用のキーが操作されると、これをグループ番号として読み取り、このグループ番号に属する複数の指紋データを抽出し、これらの指紋データの中に指紋読取り部で読み取られた指紋データがあるかを判定し、このグループ照合により候補指紋データが複数あると判定された場合、キーが操作されると、これを識別番号として読み取り、候補指紋データに対応する識別番号の中にキーの操作により入力された識別番号と一致する識別番号があるかを判定するようにしたものである。
【０００７】
【発明の実施の形態】
実施の形態１．
図１〜図３はこの発明の第１〜第３発明の一実施の形態を示す図で、図１は指紋照会装置の斜視図、図２は動作フローチャート、図３は識別番号入力手順説明図である。
【０００８】
図１において、指紋照合装置１の前面には、利用者が指を置くと指紋を読み取る指紋読取り部２と、識別（ＩＤ）番号又はグループ番号を入力するキー３が配置されている。ここで、識別番号とは、「０」〜「９」の数字の組合せからなる番号で、指紋データのそれぞれに与えられた個有の番号である。また、グループ番号とは、全体の指紋データを複数のグループに分類して区分された各グループに与えられた番号で、ここではアルファベットＡ〜Ｉとする。
【０００９】
図では、キー３は「０」と識別番号「１」とグループ番号「Ａ」兼用の「１／Ａ」と、識別番号「２」とグループ番号「Ｂ」兼用の「２／Ｂ」‥‥識別番号「９」とグループ番号「Ｉ」兼用の「９／Ｉ」を表す１０個のキーとなっている。また、キー４は「♯」キーで、番号入力の決定機能を持つキーであり、キー５は「＊」キーで、番号入力の取消し機能を持つキーである。また、指紋照合結果が「ＯＫ」を表示するＯＫ灯６及び「ＮＧ」を表示するＮＧ灯７が配置されている。
【００１０】
次に、この実施の形態の動作を図２を参照して説明する。
ステップＳ１で利用者はキー３を操作してグループ番号を入力する。すなわち、利用者が最初に操作したキー３はグループ番号として読み取られることになる。ステップＳ２では入力されたグループ番号に対応した複数の指紋データが読み出される。ここで、利用者が指紋読取り部２に指を置くと、ステップＳ３で指紋データが読み取られ、ステップＳ４で指紋データが画像処理され、ステップＳ５で指紋の特徴データが計算されて抽出される。
【００１１】
ステップＳ６では、ステップＳ２で読み出された複数の指紋データと、ステップＳ５で抽出された指紋の特徴データとを比較して照合判定する。ここで、ＯＫとなる候補指紋データが一つだけある場合は、ＯＫと判定してステップＳ１１へ進む。ＯＫとなる候補指紋データが複数存在する場合は、ステップＳ９へ進む。ＯＫとなる候補指紋データが一つもない場合は、ステップＳ７へ進んで照合条件を緩和して、ステップＳ８で照合条件が下限であるかを判定する。
【００１２】
そして、照合条件が下限でないと判定されると、ステップＳ６へ戻り、ステップＳ６，Ｓ７，Ｓ８を繰り返して再度照合し、これを繰り返して照合条件が下限に達しても、ＯＫとなる候補指紋データが得られない場合は、ＮＧと判定してステップＳ１１へ進む。ステップＳ９で利用者は、キー３を操作して識別番号を上のけたから１けたずつ入力し、ステップＳ１０ではステップＳ９で入力された識別番号と一致する候補指紋データが存在するかを判定する。ステップＳ１１では判定結果により、ＯＫ灯６又はＮＧ灯７を点灯する。
【００１３】
次に、ステップＳ９，Ｓ１０での動作の詳細を図３により説明する。
ステップＳ６でＯＫと判定された候補指紋データが４個あり、これを候補Ａ〜Ｄとし、これらの識別番号を図３に示す。ここで、候補Ａが真のＯＫの識別番号とする。ステップＳ９でまずキー入力３ａの上から１けた目の「１」が入力されると、候補Ｂは１けた目が「５」のため、不合格となる。次に、上から２けた目の「２」が入力されると、候補Ｃは上から２けた目が「４」のため、不合格となる。
【００１４】
同様に、上から３けた目の「３」が入力されると、候補Ｄは上から３けた目が「７」のため、不合格となり、候補Ａだけが残る。まだ、上から４及び５けた目が入力されていないが、これでＯＫと判定する。ここで、ステップＳ１，Ｓ２は指紋データ読出し手段を、ステップＳ３〜Ｓ６はグループ照合判定手段を、ステップＳ７，Ｓ８は再判定手段を、ステップＳ９〜Ｓ１０は識別番号判定手段を構成している。
【００１５】
このようにして、グループ照合でＯＫと判定できる候補データがない場合に、判定条件を緩和して再判定し、ＯＫと判定できる複数の候補データがあると、識別番号を上のけたから１けたずつ入力して、一致するものが一つ残った時点でＯＫと判定するようにしたため、識別番号をすべて入力する必要がなくなり、操作を簡単にすることが可能となる。また、すべて入力する必要がないため、第三者に識別番号が盗み見られる虞れをなくすことが可能となる。
【００１６】
実施の形態２．
図４はこの発明の第４発明の一実施の形態を示す識別番号入力手順説明図である。なお、図１及び図２は実施の形態２にも共用する。
この実施の形態は、実施の形態１が識別番号を入力する際、図３に示すように上のけたから１けたずつ入力するのに対し、図６に示すように下のけたから１けたずつ入力するものである。
【００１７】
すなわち、キー入力３ｂの下から１けた目の「５」が入力されると、候補Ｂが不合格となり、下から２けた目の「４」が入力されると、候補Ｃが不合格となり、下から３けた目の「３」が入力されると、候補Ｄが不合格となる。これで、候補Ａだけが残り、以後のキー３の操作は不要となり、実施の形態１と同様の効果がある。
【００１８】
【発明の効果】
以上説明したとおりこの発明では、キーの操作により入力されたグループ番号に属する複数の指紋データを抽出し、この中に指紋読取り部で読み取られた指紋データがあるかを判定し、これが複数あると判定された場合、キーの操作により識別番号が入力されると、候補指紋データに対する識別番号の中にキーの操作により入力された識別番号と一致する識別番号があるかを判定するようにしたので、簡単な操作で指紋状態の悪い人でも指紋照合をすることができる。
【図面の簡単な説明】
【図１】この発明の実施の形態１を示す指紋照合装置の斜視図。
【図２】この発明の実施の形態１を示す動作フローチャート。
【図３】この発明の実施の形態１を示す識別番号入力手順説明図。
【図４】この発明の実施の形態２を示す識別番号入力手順説明図。
【符号の説明】
１  指紋照合装置、  ２  指紋読取り部、  ３  キー、  ３ａ，３ｂ  キー入力、  ６  ＯＫ灯、  ７  ＮＧ灯。
Ｓ１，Ｓ２  指紋データ読出し手段、  Ｓ３〜Ｓ６グループ照合判定手段、  Ｓ７，Ｓ８  再判定手段、  Ｓ９，Ｓ１０  識別番号判定手段、  Ａ〜Ｄ  候補。
【図１】
2004280247.tif 000003
【図２】
2004280247.tif 000004
【図３】
2004280247.tif 000005
【図４】
2004280247.tif 000006